(57)【要約】      （修正有）【課題】簡易トイレの設置場所や簡易トイレの保管場所を知らなくても、人目を気にせず夜間でもトイレを利用できるトイレ用具備蓄ボックス及びその収納バッグを提供する。【解決手段】トイレの角に設置してあり、箱体の一側面に開いた時に防犯ブザーがオンとなり警報音を出す開閉扉を設け、箱体内にトイレ袋及びその関連用品を収納し且つ使用後のトイレ袋を収容するゴミ袋も収納してなる。また、トイレ袋は、口部に紐を有し専用箱１０内に複数枚重ねた状態で蛇腹状に折り畳んで収納する。その状態の複数枚の各トイレ袋同士は互いに所定のスベリを有して、最上位のトイレ袋７Ａを専用箱１０の取出口１１から取り出し始めると、次のトイレ袋７Ｂ上を最上位のトイレ袋７Ａのみがすべり移動して取出口１１から取り出せ、次のトイレ袋７Ｂは専用箱１０内に留まることで、迷うことなくトイレを使用できる。【選択図】図４
0003166179.tif 000002
【実用新案登録請求の範囲】
【請求項１】
トイレ内の角にデットスペース少なく設置し易い形状とした箱体の一側面に、開いた時に防犯ブザーがオンとなる開閉扉を設けて、前記箱体内にトイレ袋及びその関連用品を収納すると共に使用済みの前記トイレ袋を収容する折畳式ゴミ袋も収納してなり、前記トイレ袋は、その口部に紐を有し専用箱に複数枚重ねた状態で蛇腹状に折り畳んで収納すると共に、その状態の複数枚の各トイレ袋同士が互いに所定のスベリを有して、最上位のトイレ袋を前記専用箱の取出口から取り出し始めると、次のトイレ袋上を前記所定のすべりにより最上位のトイレ袋のみがすべり移動して前記取出口から取り出せることになり、次のトイレ袋は前記専用箱内に留まることを特徴とするトイレ用具備蓄ボックス。
【請求項２】
前記関連用品は、少なくとも排泄物の凝固剤、除菌ハンドジェル、自家発電付きライト及びトイレットペーパーが備わっている請求項１記載のトイレ用具備蓄ボックス。
【請求項３】
請求項１記載のトイレ用具備蓄ボックスにそのまま収納且つ取り出せると共に、前記トイレ袋及びその関連用品並びに前記折畳式ゴミ袋を収納してなることを特徴とする収納バッグ。
【考案の詳細な説明】
【技術分野】
【０００１】  本考案は、地震や台風などの災害時に水道や電気が止まり、トイレが使用できない状態になった際、トイレ内の便器を利用して簡易的且つ衛生的に使用できるトイレ用具備蓄ボックス及びその収納バッグに関する。
【背景技術】
【０００２】  都市部において、地震や台風などの災害時に水道や電気が止まると、事実上水洗トイレが使用できない状態になる。特に高層ビルでは、電気が止まると水道が止まっていなくても、水を高層階までポンプアップできないから、水洗トイレを使用することができない。例えば、中央防災会議による首都圏直下型地震の発生時の予測では、自宅に帰ることができない人が３５０万人にのぼるとされ、このうち避難所にも入れない人が６０万人に達し、さらに、トイレを使用できない、いわゆる「トイレ難民」も大量に発生すると見られている。災害時のトイレ問題は、水や食料品と並んで大きな課題であり、伝染病の蔓延の虞など衛生面での対策が求められる。【０００３】  このような状況から、公園など避難場所とされる空き地に、災害発生時に使用する防災用品を収納する函体を予め据え付けておき、災害時に収納してある防災用品を使用すると共に、さらに、この防災用品の中に便器などのトイレ用品を備えて、函体にトイレ用品をセットして簡易トイレとして、使用するようにしたものが知られている（特開２００２−２２５９７０号公報参照）。【０００４】  また、非常時に避難場所としての使用が考えられるスペースに、平時でも非常時でもそのスペースを有効に利用できる物置を予め設置し、その物置の土台部材の内部を便槽空間と位置づけて、その便槽空間内に大便器、小便器、トイレ用品収納箱、消臭剤ボトルなどのトイレキットを収納しておく。一方、土台部材の上方の空間は、平時通常の物置として使用する。そして、地震などの災害時に、通常の物置空間内に収納されている備品を外に出し、土台部材上方を空けると共に、土台部材内部の便槽空間に大便器や小便器を設置して、その他のトイレ用品や消臭剤を使用し、囲いのある人目を気にしなくてもよい、簡易トイレとして使用することができるものが知られている（特開２００８−２２１４号公報参照）。【０００５】  また、使用済みの後処理が容易な簡易トイレとしては、袋の開口部傍に紐を通すための孔を開け、紐を袋に付けてある排泄物処理袋と、この排泄物処理袋内に投入して排泄物を凝固させたり臭いを消したりする薬剤を含ませた凝固脱臭シートと、からなり、使用時、袋から紐の一部を外したあと、便器に排泄物処理袋を装着し紐を軽く結んでおき、はじめに袋の底に凝固脱臭シートを敷き、数回使用した後再び排泄物の上に凝固脱臭シートを敷くことで、排泄物を凝固させたり臭いを消したりする。排泄物処理袋が排泄物で一杯になったら、紐を袋の開口部傍にある孔に通し、開口部を紐でくくり、紐を強固に結んで廃棄物の形態とすることが知られている（特開２００７−５０１３５号公報参照）。
【先行技術文献】
【特許文献】
【０００６】
【特許文献１】  特開２００２−２２５９７０号公報
【特許文献２】  特開２００８−２２１４号公報
【特許文献３】  特開２００７−５０１３５号公報
【考案の概要】
【考案が解決しようとする課題】
【０００７】  特許文献１の簡易トイレは、公園など避難場所とされる空き地に、予め函体を据え付けて、その函体内にトイレ用品を含む防災用品を備え、緊急時、函体にトイレ用品をセットし簡易トイレとして使用するものであるから、避難場所に簡易トイレがあることを知っている人や現にそこにいる人が利用できるのみであり、さらに、人目を避けるのも難しい。【０００８】  特許文献２の簡易トイレは、避難場所のスペースに、予め平時でも非常時でも有効に利用できる物置を設置し、その物置の土台部材の内部にトイレキットを収納しておき、緊急時、土台部材上方を空けて簡易トイレを設置して使用するものであるから、人目を避けることが出来るものの、避難場所に簡易トイレがあることを知っている人や現にそこにいる人が使用できるのみであり、しかも、平時に物置として利用しているから、簡易トイレを設置するに際して、物置の備品をどけなければならず、その際における備品の保管をどうするかの新たな問題も発生する。【０００９】  特許文献３の簡易トイレは、正常な使用はできないが、少なくとも形状を留めている便器を利用するものであるから、利便性は高いものの、排泄物処理袋と排泄物を凝固且つ消臭する凝固脱臭シートとからなる簡易トイレの保管場所を知っている人がいなければ、利用できないことになる。【００１０】  そこで、本考案は、上記事情に鑑みてなされたもので、避難所の簡易トイレの設置場所や簡易トイレの保管場所などを知らなくても、人目を気にすることなく、しかも夜間でもトイレを使用することができるトイレ用具備蓄ボックス及びその収納バッグを提供することを課題とする。
【課題を解決するための手段】
【００１１】  本考案は、上記課題を達成するために提案されたものであって、下記の構成からなることを特徴とするものである。
すなわち、請求項１記載の考案は、トイレ内の角にデットスペース少なく設置し易い形状とした箱体の一側面に、開いた時に防犯ブザーがオンとなる開閉扉を設けて、前記箱体内にトイレ袋及びその関連用品を収納すると共に使用済みの前記トイレ袋を収容する折畳式ゴミ袋も収納してなり、前記トイレ袋は、その口部に紐を有し専用箱に複数枚重ねた状態で蛇腹状に折り畳んで収納すると共に、その状態の複数枚の各トイレ袋同士が互いに所定のスベリを有して、最上位のトイレ袋を前記専用箱の取出口から取り出し始めると、次のトイレ袋上を所定のすべりにより最上位のトイレ袋のみがすべり移動して前記取出口から取り出せることになり、次のトイレ袋は前記専用箱内に留まることを特徴とするトイレ用具備蓄ボックスである。【００１２】  また、請求項２記載の考案は、前記関連用品が、少なくとも排泄物の凝固剤、除菌ハンドジェル、自家発電付きライト及びトイレットペーパーが備わっているトイレ用具備蓄ボックスである。【００１３】  また、請求項３記載の考案は、上記したトイレ用具備蓄ボックスにそのまま収納且つ取り出せると共に、前記トイレ袋及びその関連用品並びに前記折畳式ゴミ袋を収納してなることを特徴とする収納バッグである。【００１４】  上記請求項１記載の考案による作用は次のとおりである。すなわち、トイレ内の角にデットスペース少なく設置してあるトイレ用具備蓄ボックスの開閉扉を開けると、防犯ブザーがオンとなり警報音を発するので不正使用の場合の抑止となり、正当使用の場合はそのまま意に介さず、トイレ用具備蓄ボックス内にある専用箱の取出口から一部はみ出しているトイレ袋を手指でつかみ、トイレ袋を引き出し、さらに、ゴミ袋及び関連用品を取り出す。トイレ内の便器にトイレ袋を装着して、使用したあと関連用品にて処置し、トイレ袋を紐にて閉じて組み立てた折畳式ゴミ袋内に収容する。なお、専用箱の取出口からトイレ袋を引き出しても、次のトイレ袋は取出口から出ることなく、専用箱内に留まることになる。【００１５】  また、上記請求項２記載の考案による作用は、トイレ袋内に凝固剤を投入することで排泄物を固化し、トイレ使用後に除菌ハンドジェルで手洗いをし、自家発電付きライトにていつでもトイレ内を照らすことが出来、且つトイレットペーパーの不備も解消する。【００１６】  また、上記請求項３記載の考案による作用は、トイレ用具備蓄ボックス内から収納バッグを一括して取り出し、その収納バッグ内のトイレ袋及びその関連用品並びにゴミ袋を取り出して、これらを使用でき、これら必要最少限の物を収納済みの収納バッグがあれば、上記の作用を全うできる。
【考案の効果】
【００１７】  以上詳述したように、本考案によれば、以下のような効果がある。
請求項１記載の考案は、避難所の簡易トイレの設置場所や簡易トイレの保管場所などを知らなくても、トイレ個室内にあるトイレ用具備蓄ボックスからトイレ袋及びその関連用品並びにゴミ袋を取り出してこれらを使用でき、使用済みトイレ袋の放置散逸も防げ、人目を気にしないでトイレを使用することができる効果がある。【００１８】  請求項２記載の考案は、上記効果に加えて、関連用品の使用により、排泄物の固化、手洗いで除菌可能、夜間利用の容易化、トイレットペーパーの不備の解消など、その他の関連用品の存在により、それぞれの利便性を享受できる効果がある。【００１９】  請求項３記載の考案は、必要最少限の物を収納済みの収納バッグがあれば、トイレ用具備蓄ボックスが特になくても、上記効果を享受できる。
【図面の簡単な説明】
【００２０】
【図１】  本考案の実施の形態を示すトイレ用具備蓄ボックスの斜視図である。
【図２】  本考案の実施の形態を示すトイレ用具備蓄ボックスの開閉扉を開いた状態の斜視図である。
【図３】  トイレ用具備蓄ボックス内に収納されたトイレ袋を収容している専用箱の斜視図である。
【図４】  専用箱内にあるトイレ袋の収容状態を示す概念図である。
【図５】  トイレ袋を広げた状態の斜視図である。
【図６】  本考案の実施形態のトイレ用具備蓄ボックスをトイレに設置した状態の平面図である。
【図７】  本考案の実施の形態を示す収納バッグ及びその収納品群の斜視図である。
【考案を実施するための形態】
【００２１】  以下に、本考案の実施の形態を図１ないし図７に基づいて説明する。
【００２２】  図において、１はトイレ用具備蓄ボックスであり、このトイレ用具備蓄ボックス１は、トイレ２の角３（図６参照）にデットスペース少なく設置し易い形状とした箱体４の一側面に、開いた時に防犯ブザー５がオンとなり警報音を出す開閉扉６を設けて、箱体４内にトイレ袋７（図５参照）及びその関連用品８（図７参照）を収納すると共に、使用済みのトイレ袋７を収容する折畳式ゴミ袋９（図２参照）も収納してなり、このトイレ袋７は、その口部２３に紐２４を有し、専用箱１０（図３、５参照）内に複数枚重ねた状態で蛇腹状に折り畳んで収納すると共に、その状態の複数枚の各トイレ袋７同士が互いに所定のスベリを有して、最上位のトイレ袋７Ａを専用箱１０の取出口１１から取り出し始めると、次のトイレ袋７Ｂ上を所定のすべりにより、最上位のトイレ袋７Ａのみがすべり移動して取出口１１から取り出せることになって、次のトイレ袋７Ｂは専用箱１０内に留まるものである。
【００２３】  前記トイレ用具備蓄ボックス１は、２等長辺の３角筒体をなした箱体４における一方の長辺の側面に、開閉扉６を設けたものである。箱体４における他方の長辺に転倒防止用係止部２０を設けてあり、前記トイレ２の角３（図６参照）にデットスペース少なく設置して、トイレ２の側壁２ａに転倒防止用係止部２０により係止してその転倒を防ぐ。開閉扉６は、その外側面に把手２１を設け、さらに、内側面のバー２２を渡し、そのバー２２に前記折畳式ゴミ袋９を挟んでいる。
【００２４】  前記トイレ袋７は、すでに述べたように、その口部２３に紐２４が取り付られ、トイレ２の便器３９に装着されて使用されるものであり、使用後、紐２４により使用済みのトイレ袋７の口部２３が縛られ密封されているものであって、上記専用箱１０に複数枚、例えば、３０枚あるいは４０枚重ねた状態で収納されている。そして、この専用箱１０の取出口１１から最上位のトイレ袋７Ａが引き出され始めると、次のトイレ袋７Ｂ上をすべり、このトイレ袋７Ｂは取出口１１から引き出されること無く、専用箱１０内に留まり、最上位のトイレ袋７Ａのみが取出口１１から引き出され、次のトイレ袋７Ｂ、７Ｃ……も同様にして、取出口１１から容易に引き出すことが出来るようなっている。その構造は、図４に示すように、先のトイレ袋７Ａ（１番目）、次のトイレ袋７Ｂ（２番目）、さらに次のトイレ袋７Ｃ（３番目）、………と以下同じように重ねた状態で蛇腹状に折り畳んで専用箱１０内に収納されている。
【００２５】  したがって、１番目のトイレ袋７Ａと２番目のトイレ袋７Ｂと３番目のトイレ袋７Ｃとが重なった状態になっていて、以下互い同じように重なりあった状態になっている。この状態で、取出口１１から専用箱１０内にある１番目のトイレ袋７Ａの先端部ａを手指でつかみ、取出口１１から引っ張り出すと、所定のすべりにより２番目のトイレ袋７Ｂ上を１番目のトイレ袋７Ａがすべって、取出口１１から取り出され始めるが、２番目のトイレ袋７Ｂは取出口１１から取り出されることなく専用箱１０内に留まり、１番目のトイレ袋７Ａのみが専用箱１０から取り出されることになる。再び、２番目のトイレ袋７Ｂを使用したい場合は、取出口１１からトイレ袋７Ｂの先端部ａをつかみ引っ張れば、上記と同様ににして２番目のトイレ袋７Ｂを容易に引っ張り出すことが出来る。
【００２６】  前記関連用品８は、必須のものとして、少なくとも排泄物の凝固剤を収容した凝固剤ボトル３０、トイレ使用後の手洗いのための除菌ハンドジェル３１、自家発電付きライト３２及びトイレットペーパー３３が備わっている。他にあれば重宝するものとして、目隠し用のブランケット、便座の汚れを拭き取るためのウエットチィッシュ、生理用品や紙おむつ、トイレ使用後の消臭を行うための消臭スプレーなどがある。凝固剤ボトル３０は、トイレ袋７を使用したあと凝固剤を投入して排泄物を固化するものである。除菌ハンドジェル３１は、トイレ使用したあとの手洗いを実行して衛生面を確保するためのものである。自家発電付きライト３２は、夜間や暗いトイレを使用する場合に電池切れすることなく、常時使用出来るようにするためである。なお、関連用品８の選択は自在であり限定がないが、上記した凝固剤ボトル３０、除菌ハンドジェル３１、自家発電付きライト３２及びトイレットペーパー３３は必須である。
【００２７】  前記折畳式ゴミ袋９は、使用済みのトイレ袋７を収容するものであり、これにより使用済みのトイレ袋７の放置を防げ、その散逸も防ぐことが出来て、その後焼却処分をすれば不衛生になることがなく、伝染病の蔓延などを起こすこともない。
【００２８】  図７は、収納バッグ及びこれに収納する物を示すものであり、この収納バッグ３４は、トイレ用具備蓄ボックス１にそのまま収納且つ取り出せると共に、上記した専用箱１０入りのトイレ袋７、関連用品８のうち、少なくとも必須の凝固剤ボトル３０、除菌ハンドジェル３１、自家発電付きライト３２及びトイレットペーパー３３並びに折畳式ゴミ袋９を収納出来ればよいものである。なお、有れば重宝するものとして、図７では目隠し用のブランケット３５、便座の汚れを拭き取るためのウエットチィッシュ３６、生理用品３７や赤ちゃん用及び成人用の紙おむつ３８などを例示しているが、さらに、消臭スプレーがあると排泄物の臭いを消すことが出来ることになり、これらを収納バッグ３４に収納してあってもよい。
【００２９】  そして、この収納バッグ３４は、トイレ用具備蓄ボックス１内から一括して取り出せ、さらに、収納バッグ３４内からトイレ袋７及びその関連用品８並びにゴミ袋９を取り出して、これらを使用できる。したがって、専用箱１０入りのトイレ袋７、関連用品８のうち必須の凝固剤ボトル３０、除菌ハンドジェル３１、自家発電付きライト３２及びトイレットペーパー３３並びにゴミ袋９など必須物を収納してある収納バッグ３４があれば、トイレ２の角３にトイレ用具備蓄ボックス１をデットスペース少なく設置していなくても、緊急時のトイレ使用を図れる。これは家庭などで重宝することができ、これらを収納した収納バッグ３４は取引の一単位となり得る。
【００３０】  次に、上記構成になるトイレ用具備蓄ボックス１及び収納バッグ３４の使用方法を詳述する。
まず、図６に示すように、トイレ２の角３に、トイレ用具備蓄ボックス１を、トイレ２の側壁２ａに転倒防止用係止部２０を係止することで、転倒しないように設置する。収納バッグ３４単独の場合であれば、トイレ２の角３に置いたり、トイレ２にある棚などに置けばよい。そして、断水したり、停電になったりで、トイレ２の正常な使用が出来なくなった時、トイレ用具備蓄ボックス１の開閉扉６を開き、少なくとも必須物を収納してある収納バッグ３４が有る場合は、収納バッグ３４を取り出し、その中から必要最小限の専用箱１０入りのトイレ袋７、凝固剤ボトル３０、除菌ハンドジェル３１及びゴミ袋９などを取り出す。暗ければ自家発電付きライト３２も取り出し、紙がなければトイレットペーパー３３も取り出す。収納バッグ３４が無い場合でも、上記と同様の物をトイレ用具備蓄ボックス１から直接取り出す。
【００３１】  次に、専用箱１０からトイレ袋７Ａを引き出し始めると、次のトイレ袋７Ｂ上をすべり専用箱１０の取出口１１からトイレ袋７Ａのみを取り出すことが出来る。そして、引き出したトイレ袋７Ａをトイレ２の便器３９に装着して使用する。そのあと、凝固剤ボトル３０からトイレ袋７内に凝固剤を振りかけ、トイレ袋７内の排泄物を固化する。さらに除菌ハンドジェル３１にて手洗いをし、液だれがあればトイレ袋７内に落とすようにする。便器３９から使用済みのトイレ袋７を外して、紐２４によりトイレ袋７の口部２３を縛り密封し、それを組み立てたゴミ袋９内に入れる。
【００３２】  その後、トイレ用具備蓄ボックス１内から取り出した物を戻し収納して、さらに、収納バッグ３４が有る場合はそれに戻し収納してから、この収納バッグ３４をトイレ用具備蓄ボックス１内に戻して開閉扉６を閉じる。なお、ブランケット３５、ウエットチィッシュ３６、生理用品３７や赤ちゃん用及び成人用の紙おむつ３８、消臭スプレーなどが、トイレ用具備蓄ボックス１内あるいは収納バッグ３４内に収納してあれば、必要時利用でき重宝する。
【００３３】  以上、本考案の実施例を説明したが、具体的な構成はこれに限定されず、本考案の要旨を逸脱しない範囲での変更・追加、各請求項における他の組み合わせにかかるものも、適宜可能であることが理解されるべきである。
【産業上の利用可能性】
【００３４】  本考案は、避難所などで、簡易トイレの設置場所や簡易トイレの保管場所などを知らなくても、人目を気にすることなく夜間でもトイレを利用したいような場合に、その利用可能性が極めて高くなる。
【符号の説明】
【００３５】１                        トイレ用具備蓄ボックス
２                        トイレ
２ａ                      側壁
３                        角
４                        箱体
５                        防犯ブザー
６                        開閉扉
７、７Ａ、７Ｂ、７Ｃ      トイレ袋
８                        関連用品
９                        折畳式ゴミ袋
１０                      専用箱
１１                      取出口
２０                      転倒防止用係止部
２１                      把手
２２                      バー
２３                      口部
２４                      紐
３０                      凝固剤ボトル
３１                      除菌ハンドジェル
３２                      自家発電付きライト
３３                      トイレットペーパー
３４                      収納バッグ
３５                      ブランケット
３６                      ウエットチィッシュ
３７                      生理用品
３８                      紙おむつ
３９                      便器
ａ                        先端部
【図１】
0003166179.tif 000003
【図２】
0003166179.tif 000004
【図３】
0003166179.tif 000005
【図４】
0003166179.tif 000006
【図５】
0003166179.tif 000007
【図６】
0003166179.tif 000008
【図７】
0003166179.tif 000009